(57)【特許請求の範囲】
【請求項１】
第１のデータが記録された領域の近傍に、レーザカッティングによる第２のデータが記録されたディスクを再生するディスク再生装置において、
前記ディスクに対して、前記第１のデータの再生に対応した回転速度となるように回転サーボを施した状態で、該回転サーボをオフにするとともに、前記ディスクから記録データを読み取るためのピックアップを、前記第２のデータが記録された領域に移動させる制御手段と、
前記第２のデータのチャネルビット周期よりも短い一定周期を有するクロックを循環計数するカウント手段と、このカウント手段の第１のカウント値と第２のカウント値との間にウインドウを発生する発生手段とを備え、前記制御手段によって、前記回転サーボがオフにされ、かつ、前記ピックアップが前記第２のデータの記録された領域に到達した状態で、前記第２のデータのチャネルビット周期に対応した周期を有する所定幅の前記ウインドウを発生するウインドウ発生手段と、
このウインドウ発生手段によるウインドウの発生期間内に、前記ピックアップで読み取られた前記第２のデータのエッジが得られるか否かを検出するもので、前記ウインドウの発生期間内に前記第２のデータのエッジが得られた状態で、前記カウント手段のカウント値を前記第１及び第２のカウント値の中間値に設定して、前記ウインドウの発生を停止させるとともに、第１の検出値を発生し、前記ウインドウの発生期間内に前記第２のデータのエッジが得られなかった状態で、前記ウインドウの発生停止後、第２の検出値を発生する検出手段とを具備してなることを特徴とするディスク再生装置。
【請求項２】
前記第１のデータの記録された領域は、リードインエリアであり、前記第２のデータは、このリードインエリアよりもさらに内周側に記録されるＢＣＡデータであることを特徴とする請求項１記載のディスク再生装置。
【請求項３】
第１のデータが記録された領域の近傍に、レーザカッティングによる第２のデータが記録されたディスクを再生するディスク再生方法において、
前記ディスクに対して、前記第１のデータの再生に対応した回転速度となるように回転サーボを施した後で、該回転サーボをオフにするとともに、前記ディスクから記録データを読み取るためのピックアップを、前記第２のデータが記録された領域に移動させる第１の工程と、
前記第２のデータのチャネルビット周期よりも短い一定周期を有するクロックを循環計数するカウント手段と、このカウント手段の第１のカウント値と第２のカウント値との間にウインドウを発生する発生手段とを備え、前記第１の工程によって、前記回転サーボがオフにされ、かつ、前記ピックアップが前記第２のデータの記録された領域に到達した後、前記第２のデータのチャネルビット周期に対応した周期を有する所定幅の前記ウインドウを発生する第２の工程と、
この第２の工程によるウインドウの発生期間内に、前記ピックアップで読み取られた前記第２のデータのエッジが得られるか否かを検出するもので、前記ウインドウの発生期間内に前記第２のデータのエッジが得られた状態で、前記カウント手段のカウント値を前記第１及び第２のカウント値の中間値に設定して、前記ウインドウの発生を停止させるとともに、第１の検出値を発生し、前記ウインドウの発生期間内に前記第２のデータのエッジが得られなかった状態で、前記ウインドウの発生停止後、第２の検出値を発生する第３の工程とを具備してなることを特徴とするディスク再生方法。
【請求項４】
前記第１のデータの記録された領域は、リードインエリアであり、前記第２のデータは、このリードインエリアよりもさらに内周側に記録されるＢＣＡデータであることを特徴とする請求項３記載のディスク再生方法。
【発明の詳細な説明】
【０００１】
【発明の属する技術分野】
この発明は、例えばＤＶＤ（Digital Video Disk）等のような光ディスクを再生するディスク再生装置及びディスク再生方法の改良に関する。
【０００２】
【従来の技術】
周知のように、近時では、片面に約５Ｇビットもの膨大なデータを記録した光ディスクとしてＤＶＤが開発されており、このＤＶＤを再生するＤＶＤ再生装置も市場に普及してきている。
【０００３】
ところで、このＤＶＤには、例えば工場等において製造工程が終了した後で、図５に示すように、そのリードインエリアよりもさらに内周の特定領域に、ＹＡＧレーザによってＢＣＡ（Burst Cutting Area）コードなるものが記録されることがある。
【０００４】
図６は、このようなＢＣＡデータの構造を示している。まず、ＢＣＡユーザデータ数は、１６ｎ−４（１≦ｎ≦１２）バイトの可変情報領域を有し、これに、４バイトのＥＤＣ（Error Detection Code）パリティと、１６バイトのＥＣＣ（Error Correction Code ）パリティとが付加されている。
【０００５】
そして、この可変情報領域とＥＤＣパリティとに、それぞれ４バイト毎に１バイトのシンクデータＲＳBCAnが付加され、ＥＣＣパリティに４バイト毎に１バイトのシンクデータＲＳBCA13 が付加されている。
【０００６】
また、このＢＣＡデータは、その先頭部分に１バイトのシンクデータＳＢBCA と、それぞれが“００（１６進）”である４バイトのＢＣＡ−Preambleデータとが付加されている。
【０００７】
さらに、このＢＣＡデータは、そのＥＣＣパリティの後に、１バイトのシンクデータＲＳBCA14 と、それぞれが“５５（１６進）”である４バイトのＢＣＡ−Postamble データとが付加され、その後に、１バイトのシンクデータＲＳBCA15 が付加されている。
【０００８】
そして、各シンクデータＳＢBCA ，ＲＳBCAn，ＲＳBCA13 ，ＲＳBCA14 ，ＲＳBCA15 は、それぞれ、特定のシンクパターンを表わす８チャネルビットと、フレーム番号（ｎ）を表わす８チャネルビットとから構成されている。なお、１ビットが２チャネルビットになる変調規則にしたがっている。
【０００９】
ここで、１フレームのユーザーデータ数は、１６バイトで形成されているが、ｎ番目のフレームのみ、ユーザーデータ数は１２バイトとなり、ＥＤＣパリティが４バイト付加される。例えば、ｎ＝５ならば、ユーザーデータ数は１６×５−４＝７６バイトとなり、５フレームの４行目のシンクデータＲＳBCA5の後に、４バイトのＥＤＣパリティが付加されることになる。
【００１０】
また、このＢＣＡデータ構造の縦方向にインターリーブ処理されて付加される１６バイトのリードソロモンＥＣＣパリティは、ユーザデータ長にかかわらず１３フレームに属している。例えば、ｎ＝５ならば、５フレームのＥＤＣパリティの後にシンクデータＲＳBCA13 が表れ、ＥＣＣパリティが続くことになる。
【００１１】
このＢＣＡデータは、前述したように、ＤＶＤのリードインエリアよりもさらに内周の同心円上に十分な幅を持って記録されるもので、データ長が短いほど、ＤＶＤ上のＢＣＡデータ記録領域におけるデータ無記録領域が多くなるようになっている。
【００１２】
そして、このＢＣＡデータの変調規則は、“０”及び“１”を表わす１ビットのデータに、“１０”及び“０１”の２チャネルビットをそれぞれ割り当てている。また、特定のシンクパターンは、上位から“０１０００１１０”で、これに続くフレーム番号は、前述した変調規則にしたがい、“０”〜“１３”を表わす４ビットのデータを８チャネルビットに変調している。
【００１３】
この変調規則にしたがえば、データの最小極性反転間隔Ｔmin は１Ｔとなり、最大極性反転間隔Ｔmax は４Ｔとなる。ただし、前記変調規則にしたがえば、この４Ｔパターンは、シンクデータにしか表われることがない。
【００１４】
図７は、このようなＢＣＡデータの記録された光ディスクを再生可能なディスク再生装置を示している。図７において、符号１１は、ＢＣＡデータの記録された光ディスクで、ディスクモータ１２によって回転駆動される。また、光ディスク１１の信号記録面に対向して、光学式ピックアップ１３が設置されている。
【００１５】
このディスクモータ１２は、サーボ回路１４によって、その回転速度が制御されている。また、光学式ピックアップ１３は、サーボ回路１４によって、その図示しない対物レンズに対するトラッキングサーボやフォーカスサーボが施されるとともに、光ディスク１１の径方向への移動が制御されている。
【００１６】
ここで、光ディスク１１のＢＣＡデータを再生する場合、ディスク再生装置の動作を統括的に制御する制御ＭＰＵ（Micro-Processing Unit ）１５は、サーボ回路１４により、光ディスク１１をＢＣＡデータの再生に最適な回転数である２４Ｈｚ（１４４０ｒｐｍ）に保つようにＣＡＶ（Constant Angular Velocity ）サーボを施すとともに、光学式ピックアップ１３をＢＣＡデータの記録領域に移動させる。
【００１７】
そして、光学式ピックアップ１３から出力されるＢＣＡデータに対応した電気信号は、増幅回路１６及びイコライザ回路１７を介した後、データスライス回路１８に供給されて２値化される。この２値化信号は、ＢＣＡ検出回路１９及びＰＬＬ（Phase Locked Loop ）回路２０に供給されている。
【００１８】
このうち、ＰＬＬ回路２０は、入力された２値化信号からチャネルビットクロックを生成し、ＢＣＡ検出回路１９に出力している。また、ＢＣＡ検出回路１９は、入力された２値化信号から、チャネルビットクロックに基づいてデータを抜き取り、ＢＣＡ検出チャネルビットを生成している。
【００１９】
そして、このＢＣＡ検出回路１９では、チャネルビットクロック及びＢＣＡ検出チャネルビットに基づいて、ＢＣＡデータストリームの中からシンクパターンを検出し、その後に続く８チャネルビットのデータを復調することにより、フレーム番号を得ている。
【００２０】
その後、このＢＣＡ検出回路１９は、得られたフレーム番号に対して０から３までのフレーム内行番号を生成し、ＢＣＡデータ格納メモリ２１に対するアドレスを決定して、復調されたＢＣＡデータを順次記憶させる。このＢＣＡデータ格納メモリ２１は、ＢＣＡデータが最長のとき、つまり、ｎ＝１２のとき、２０８バイトが記録される。
【００２１】
また、このＢＣＡデータ格納メモリ２１に記録されたＢＣＡデータは、ＢＣＡデータ処理回路２２によって、ＥＤＣパリティ及びＥＣＣパリティに基づくエラー訂正処理が施される。
【００２２】
図８は、上記ＢＣＡ検出回路１９の詳細を示している。すなわち、上記データスライス回路１８から出力されるＢＣＡ２値化信号は、入力端子１９ａ，復調回路１９ｂ及び出力端子１９ｃを介してデータバスに出力される。また、上記ＰＬＬ回路２０から出力されるチャネルビットクロックは、入力端子１９ｄを介して復調回路１９ｂ及びシンク検出回路１９ｅに供給されている。
【００２３】
そして、上記復調回路１９ｂの出力及びシンク検出回路１９ｅの出力は、メモリアドレス生成回路１９ｆ及び出力端子１９ｇを介してアドレスバスに出力されるとともに、ＢＣＡ記録長検出回路１９ｈ及び出力端子１９ｉを介してＢＣＡデータ処理回路２２に出力されている。
【００２４】
ここで、上記光学式ピックアップ１３が光ディスク１１のデータ無記録領域からＢＣＡデータ記録領域に到達すると、シンクデータＳＢBCA から始まるチャネルビットが検出される。すると、このシンクデータＳＢBCA 及びＢＣＡ−Preambleデータを再生するあたりで、ＰＬＬ回路２０がロックし、正規のチャネルビットクロックが得られるようになる。
【００２５】
このとき、ＢＣＡ検出回路１９では、まず、シンクデータＲＳBCA1のシンクパターンを検出し、ＢＣＡデータ格納メモリ２１にアドレス“０”を発生する。その後、ＢＣＡ検出回路１９は、検出される１６チャネルビット毎に、それを１バイトとするデータ復調処理を行ない、その都度、アドレスをインクリメントしている。
【００２６】
このようにして、４バイト分のデータをＢＣＡデータ格納メモリ２１に記録した時点で、次に、再度シンクデータＲＳBCA1が検出されるはずであるが、もし検出できなくても、ＢＣＡ検出回路１９は、疑似的にシンクデータが検出できたものとしてデータ復調間隔とアドレスのインクリメントとを変えることなく継続して、いわゆる同期保護を行なっている。
【００２７】
また、ＢＣＡ検出回路１９は、シンクデータを検出する予測位置に対して、±２チャネルビット幅程度のシンク検出ウインドウを設定し、このウインドウ内にシンクデータが検出できれば、その位置補正を行なって、以降のデータ復調同期を修正する。
【００２８】
なお、この時点で検出されるシンクデータが、ＲＳBCA1以外の例えばＲＳBCA2やＲＳBCA10 等の値であった場合には、ＢＣＡ検出回路１９は、それを検出エラーとみなして、アドレスの変更を行なわないようにしている。
【００２９】
そして、１６バイト分の復調データがＢＣＡデータ格納メモリ２１に記録された時点で、次に発生するシンクデータは、ＲＳBCA2またはＲＳBCA13 のはずであるが、ＢＣＡ検出回路１９は、フレーム番号によらず、アドレスのインクリメントを継続させ、データ復調同期も変えずに継続させる。
【００３０】
すなわち、シンクデータによる±２チャネルビットの位置補正によるデータ復調同期の変更はあっても、アドレスについてはインクリメントが継続される。このようにアドレスを生成した場合の、ユーザデータ、そのＥＤＣパリティ及びＥＣＣパリティの各バイトに対するアドレスは、図９に示すように生成されることになる。
以上の手順によりデータの復調と記録とが行なわれ、シンクデータＲＳBCA13 の付加されたデータを１６バイト記録した時点で、記録動作が終了される。
【００３１】
【発明が解決しようとする課題】
しかしながら、上記のような従来のディスク再生装置では、ＢＣＡデータを再生するために最適な回転速度（２４Ｈｚ）を保つように光ディスク１１にＣＡＶサーボを施す必要があるとともに、ＰＬＬ回路２０によりデータ抜き取り用のチャネルビットクロックを生成することが必要となる。したがって、回転サーボ及びＰＬＬ回路共に、通常のＤＶＤ再生回路に、ＢＣＡ再生用回路を加えなければならず、回路構成が複雑、大型化するとともに、処理も煩雑になるという問題が生じている。
【００３２】
そこで、この発明は上記事情を考慮してなされたもので、煩雑な処理を必要とせず、簡易な構成でディスク上からＢＣＡデータを再生することを可能とした極めて良好なディスク再生装置及びディスク再生方法を提供することを目的とする。
【００３３】
【課題を解決するための手段】
この発明に係るディスク再生装置は、第１のデータが記録された領域の近傍に、レーザカッティングによる第２のデータが記録されたディスクを再生するものを対象としている。
【００３４】
そして、ディスクに対して、第１のデータの再生に対応した回転速度となるように回転サーボを施した状態で、該回転サーボをオフにするとともに、ディスクから記録データを読み取るためのピックアップを、第２のデータが記録された領域に移動させる制御手段と、
第２のデータのチャネルビット周期よりも短い一定周期を有するクロックを循環計数するカウント手段と、このカウント手段の第１のカウント値と第２のカウント値との間にウインドウを発生する発生手段とを備え、制御手段によって、回転サーボがオフにされ、かつ、ピックアップが第２のデータの記録された領域に到達した状態で、第２のデータのチャネルビット周期に対応した周期を有する所定幅のウインドウを発生するウインドウ発生手段と、
このウインドウ発生手段によるウインドウの発生期間内に、ピックアップで読み取られた第２のデータのエッジが得られるか否かを検出するもので、ウインドウの発生期間内に第２のデータのエッジが得られた状態で、カウント手段のカウント値を第１及び第２のカウント値の中間値に設定して、ウインドウの発生を停止させるとともに、第１の検出値を発生し、ウインドウの発生期間内に第２のデータのエッジが得られなかった状態で、ウインドウの発生停止後、第２の検出値を発生する検出手段とを備えるようにしたものである。
【００３５】
また、この発明に係るディスク再生方法は、第１のデータが記録された領域の近傍に、レーザカッティングによる第２のデータが記録されたディスクを再生する方法を対象としている。
【００３６】
そして、ディスクに対して、第１のデータの再生に対応した回転速度となるように回転サーボを施した後で、該回転サーボをオフにするとともに、ディスクから記録データを読み取るためのピックアップを、前記第２のデータが記録された領域に移動させる第１の工程と、
第２のデータのチャネルビット周期よりも短い一定周期を有するクロックを循環計数するカウント手段と、このカウント手段の第１のカウント値と第２のカウント値との間にウインドウを発生する発生手段とを備え、第１の工程によって、回転サーボがオフにされ、かつ、ピックアップが第２のデータの記録された領域に到達した後、第２のデータのチャネルビット周期に対応した周期を有する所定幅のウインドウを発生する第２の工程と、
この第２の工程によるウインドウの発生期間内に、ピックアップで読み取られた第２のデータのエッジが得られるか否かを検出するもので、ウインドウの発生期間内に第２のデータのエッジが得られた状態で、カウント手段のカウント値を第１及び第２のカウント値の中間値に設定して、ウインドウの発生を停止させるとともに、第１の検出値を発生し、ウインドウの発生期間内に第２のデータのエッジが得られなかった状態で、ウインドウの発生停止後、第２の検出値を発生する第３の工程とを備えるようにしたものである。
【００３７】
上記のような構成及び方法によれば、ディスクに第１のデータの再生に対応した回転速度となるように回転サーボを施してから回転サーボをオフにし、ピックアップを第２のデータ記録領域に移動させ、予め予測した周期で発生させたウインドウ内に第２のデータのエッジが得られるか否かを検出するようにしたので、従来のように、回転サーボやデータ抜き取り用のチャネルビットクロックの生成を必要としないので、煩雑な処理を必要とせずに、簡易な構成でディスク上から第２のデータを再生することができるようになる。
【００３８】
【発明の実施の形態】
以下、この発明の実施の形態について図面を参照して詳細に説明する。図１において、図７と同一部分には同一符号を付して示している。すなわち、前記データスライス回路１８から出力されたＢＣＡ２値化信号から、チャネルビットクロックを生成するためのＰＬＬ回路２０を削除し、その代わりに、前記ＢＣＡ検出回路１９に図２に示すような回路を備えるようにしている。
【００３９】
図２において、符号２３はチャネルビット計測用カウンタで、クロック入力端子２４に供給された一定周波数の水晶クロックをカウントすることにより、ＢＣＡチャネルビット１Ｔ幅の期待値を計測している。ＢＣＡチャネルビットは、その１Ｔ幅が図３に示すように光ディスク１１の回転周波数が２４Ｈｚで８．８９±２μｓであり、４Ｔ幅は８．８９×４±２μｓとなる。
【００４０】
そこで、上記チャネルビット計測用カウンタ２３がカウントする水晶クロックの周波数を、例えば２６ＭＨｚとした場合、１Ｔ幅には１７９〜２８４クロックが入り、４Ｔ幅には８７２〜９７７クロックが入る換算になる。そして、１Ｔ幅期待値をセンターの２３２クロックとし、また、チャネルビット検出用ウインドウ幅Ｗとしては、１Ｔから４Ｔまでのビット周期の変動に追随できるように１２８クロック幅としている。
【００４１】
ここで、実際にＢＣＡデータを再生するにあたり、制御ＭＰＵ１５は、光ディスク１１のリードインエリアをＣＬＶ（Constant Linear Velocity）方式で再生するように、サーボ回路１４に指令を発生する。そして、光ディスク１１の回転が安定した時点（この時点での光ディスク１１の回転速度は、ＢＣＡデータ記録領域を再生するのに適した２４Ｈｚに近い値となっている）で、制御ＭＰＵ１５は、サーボ回路１４に対して、ディスクモータ１２の回転制御をオフ状態にするとともに、光学式ピックアップ１３を光ディスク１１のＢＣＡデータ記録領域に移動させるように指令を発生する。
【００４２】
この場合、ディスクモータ１２の回転制御をオフ状態にすることにより、光ディスク１１の回転速度は自動的に減速されることになるが、光ディスク１１の回転速度が２４Ｈｚから大幅に低下するまでには数秒程度かかるので、ＢＣＡデータを読み取るのに必要な２〜３回転程度の時間であれば、光ディスク１１の回転速度は十分に２４Ｈｚ近傍に保持されることになる。
【００４３】
その後、制御ＭＰＵ１５は、ＢＣＡデータの検出を開始させるように、ＢＣＡ検出回路１９に指令を発生する。すると、この指令を受けて、ＢＣＡ検出回路１９のカウンタ制御回路２５では、チャネルビット検出用ウインドウを開放状態とする。
【００４４】
一方、前記データスライス回路１８から出力されたＢＣＡ２値化信号は、入力端子２６を介してチャネルビットエッジ検出回路２７に供給されている。このチャネルビットエッジ検出回路２７は、入力されたＢＣＡ２値化信号のＢＣＡチャネルビット、つまり立下がりエッジを検出し、その検出信号を上記カウンタ制御回路２５に出力している。
【００４５】
すると、このカウンタ制御回路２５は、チャネルビット検出用ウインドウの開放状態において、チャネルビットエッジ検出回路２７からの検出信号が供給された場合、上記チャネルビット計測用カウンタ２３にチャネルビット検出用ウインドウ幅Ｗ（ここでは１２８）の１／２の値を設定し、その設定値からカウントアップを開始させる。
【００４６】
また、このとき、カウンタ制御回路２５は、チャネルビット検出用ウインドウを閉じ、チャネルビット計測用カウンタ２３のカウント値がＴ（ここでは２３２）に一致した時点で、チャネルビット計測用カウンタ２３のカウント値を０にリセットする。
【００４７】
以降、カウンタ制御回路２５は、チャネルビット計測用カウンタ２３のカウント値が０〜Ｗの間でチャネルビット検出用ウインドウを開き、ＢＣＡデータの立下がりエッジが検出されると、チャネルビット計測用カウンタ２３にＷ／２を設定してチャネルビット検出用ウインドウを閉じ、このときＢＣＡチャネルビット検出値１を復調回路２８に出力する。
【００４８】
また、カウンタ制御回路２５は、チャネルビット計測用カウンタ２３のカウント値がＷに達する前、つまり、チャネルビット検出用ウインドウの開状態で、ＢＣＡデータの立下がりエッジが検出されなかった場合、チャネルビット検出用ウインドウを閉じ、このときＢＣＡチャネルビット検出値０を復調回路２８に出力する。
【００４９】
図４（ａ）〜（ｅ）は、以上の動作を波形で示したものである。すなわち、図４（ａ）は、ＢＣＡデータ検出命令に対応した信号を示し、Ｌ（Low ）レベルからＨ（High）レベルに反転することで、ＢＣＡデータ検出が要求されたことを示している。また、図４（ｂ）は、入力端子２６に供給されるＢＣＡデータを示している。
【００５０】
さらに、図４（ｃ）は、チャネルビット計測用カウンタ２３のカウント値を示している。このチャネルビット計測用カウンタ２３は、基本的には、０〜Ｔ（ここでは２３２）までを循環計数しており、同図（ｂ）に示すＢＣＡデータの立下がりで、カウント値がＷ／２に設定されている。
【００５１】
また、図４（ｄ）は、チャネルビット検出用ウインドウを示している。このチャネルビット検出用ウインドウは、チャネルビット計測用カウンタ２３のカウント値が０〜Ｗの間でＨレベルの開放状態となるが、ＢＣＡデータの立下がりで、Ｌレベルの閉状態となされる。
【００５２】
そして、図４（ｅ）は、ＢＣＡチャネルビットの検出値を示している。このＢＣＡチャネルビット検出値は、チャネルビット検出用ウインドウの開放期間内にＢＣＡデータの立下がりが検出された場合に１となり、チャネルビット検出用ウインドウの開放期間内にＢＣＡデータの立下がりが検出されない場合に０となるものである。
【００５３】
なお、チャネルビット検出用ウインドウの開放期間内にＢＣＡデータの立下がりが検出されない状態が、所定回数以上発生した場合には、無条件にチャネルビット検出用ウインドウを開放状態とし、初期状態に戻るようになっている。そして、このようにして得られたチャネルビット検出値に基づいて、従来と同様に、シンクデータの検出を行ない、ＢＣＡデータを復調し、アドレスを生成して、ＢＣＡデータ格納メモリ２１に記録する。
【００５４】
上記した実施の形態によれば、光ディスク１１のリードインエリアをＣＬＶ方式で再生し、光ディスク１１の回転速度が安定した時点で、光ディスク１１に対する回転サーボをオフ状態とするとともに、光学式ピックアップ１３をＢＣＡデータ記録領域に移動させ、予め予測した周期でチャネルビット検出用ウインドウを開放させることによりＢＣＡチャネルビットを検出して、ＢＣＡデータを再生するようにしている。
【００５５】
このため、従来のようにＣＡＶサーボを必要とせず、また、データ抜き取り用のチャネルビットクロックを生成する必要もないので、煩雑な処理を必要とせずに、簡易な構成で光ディスク１１上からＢＣＡデータを再生することができるようになる。
【００５６】
また、チャネルビットを検出する毎に、水晶精度にてチャネルビット検出用ウインドウのセンター位置を調整しているので、ＢＣＡ特有のカット精度の粗さによる周期ばらつきに容易に追随することができるようになる。
なお、この発明は上記した実施の形態に限定されるものではなく、この外その要旨を逸脱しない範囲で種々変形して実施することができる。
【００５７】
【発明の効果】
以上詳述したようにこの発明によれば、煩雑な処理を必要とせず、簡易な構成でディスク上からＢＣＡデータを再生することを可能とした極めて良好なディスク再生装置及びディスク再生方法を提供することができる。
【図面の簡単な説明】
【図１】この発明に係るディスク再生装置の実施の形態を示すブロック構成図。
【図２】同実施の形態における要部の詳細を示すブロック構成図。
【図３】同実施の形態におけるＢＣＡデータ波形を示す図。
【図４】同実施の形態における各部の波形を示す図。
【図５】光ディスク上のＢＣＡデータの記録領域を説明するために示す平面図。
【図６】同ＢＣＡデータのフォーマットを説明するために示す図。
【図７】同ＢＣＡデータを再生する従来のディスク再生装置を示すブロック構成図。
【図８】同ディスク再生装置における要部の詳細を示すブロック構成図。
【図９】同ディスク再生装置におけるアドレスの生成例を示す図。
【符号の説明】
１１…光ディスク、
１２…ディスクモータ、
１３…光学式ピックアップ、
１４…サーボ回路、
１５…制御ＭＰＵ、
１６…増幅回路、
１７…イコライザ回路、
１８…データスライス回路、
１９…ＢＣＡ検出回路、
２０…ＰＬＬ回路、
２１…ＢＣＡデータ格納メモリ、
２２…ＢＣＡデータ処理回路、
２３…チャネルビット計測用カウンタ、
２４…クロック入力端子、
２５…カウンタ制御回路、
２６…入力端子、
２７…チャネルビットエッジ検出回路、
２８…復調回路。
【図１】
0003839926.tif 000002
【図２】
0003839926.tif 000003
【図３】
0003839926.tif 000004
【図４】
0003839926.tif 000005
【図５】
0003839926.tif 000006
【図６】
0003839926.tif 000007
【図７】
0003839926.tif 000008
【図８】
0003839926.tif 000009
【図９】
0003839926.tif 000010